(57)【要約】  【課題】押し刃が好適にステープルを押圧し得る構成を備えたステープラを提供する。  【解決手段】ステープラは、アンビルを有したベースと、このベースに支持され内部にステープルを収容した収容体と、この収容体内に配設された前記ステープルを前記アンビル方向に押し出し得る押し刃と、この押し刃を駆動するための前記ベースに支持された操作ハンドルと、前記押し刃と操作ハンドルとの間に設けられ前記押し刃を連結部材を介して相対回転可能に支持し得る押し刃支持体とを備えてなり、前記連結部材の連結軸部が、前記収容体に設けられた前記押し刃の進退方向をガイドし得るガイド部内に配設されているものとなっている。【選択図】図４
2018027607.tif 000002
【特許請求の範囲】
【請求項１】
アンビルを有したベースと、このベースに支持され内部にステープルを収容した収容体と、この収容体内に配設された前記ステープルを前記アンビル方向に押し出し得る押し刃と、この押し刃を駆動するための前記ベースに支持された操作ハンドルと、前記押し刃と操作ハンドルとの間に設けられ前記押し刃を連結部材を介して相対回転可能に支持し得る押し刃支持体とを備えてなり、
前記連結部材の連結軸部が、前記収容体に設けられた前記押し刃の進退方向をガイドし得るガイド部内に配設されているステープラ。
【請求項２】
前記押し刃が、その上下方向中間部に前記連結軸部が通過し得る連通孔を備えている請求項１記載のステープラ。
【請求項３】
前記押し刃が、略平行をなすように左右の側端縁に設けられた被ガイド部を備えており、
前記ガイド部が、前記被ガイド部と摺接し得る左右のガイド側壁を備えたものである請求項１又は２記載のステープラ。
【請求項４】
前記押し刃が、前記被ガイド部を有し下端部近傍に前記連通孔を備えた刃基端側部分と、下端に前記ステープルに当接し得るステープル当接部を有し前記刃基端側部分よりも幅狭に形成された刃先端側部分とを有している請求項３記載のステープラ。
【請求項５】
前記連結部材が、前記押し刃と前記押し刃支持体との間を貫通する前記連結軸部と、この連結軸部の両端に設けられたフランジ部とを備えている請求項１、２、３又は４記載のステープラ。
【請求項６】
前記操作ハンドルと前記押し刃支持体との間に設けられ、前記操作ハンドルの操作力を伝達するための駆動軸を有した操作力伝達機構を備えており、
前記押し刃支持体が、前記押し刃に添接する刃保持プレート部材と、この刃保持プレート部材の左右両端部に設けられ前記駆動軸を支持し得る軸支持部材とを備えている請求項１、２、３、４又は５記載のステープラ。
【請求項７】
前記操作力伝達機構が、前記駆動軸を支持し得る左右の側板部を有した中間部材を備えており、
前記左右の側板部間に、スペーサを介して前記軸支持部材が配設されている請求項６記載のステープラ。
【請求項８】
前記軸支持部材が、前記駆動軸を挿通し得る軸保持孔を備えたものであり、
前記駆動軸の真下に前記押し刃が位置し得るように、前記軸支持部材における前記軸保持孔の位置が設定されている請求項６又は７記載のステープラ。
【発明の詳細な説明】
【技術分野】
【０００１】
本発明は、ステープルにより複数枚の用紙等を綴じるためのステープラに関する。
【背景技術】
【０００２】
従来から、比較的大量の用紙等を綴じることができるいわゆる卓上配置タイプと言われる大型のステープラとして、アンビルを有したベースと、このベースに支持され内部にステープルを収容した収容体と、操作ハンドルの操作に連動してステープルを収容体からアンビル方向に押し出し得る押し刃とを備えてなるものが種々知られている（例えば、特許文献１を参照）。
【０００３】
この種のステープラは、全体が大型のものであるため、当該ステープラを構成する部材の微細な寸法誤差や変形等の蓄積に起因して、ステープルを押圧する押し刃の進退方向に歪みが発生してしまうおそれがある。仮に、押し刃の進退方向に一定以上の歪みが生じている場合には、押し刃が適切に進退動作することができず当該押し刃によってステープルを適切に押圧することができないという不具合が生じ得る。
【先行技術文献】
【特許文献】
【０００４】
【特許文献１】特開２００９−１６０６９６号公報
【発明の概要】
【発明が解決しようとする課題】
【０００５】
本発明は、以上のような事情に着目してなされたもので、押し刃が好適にステープルを押圧し得る構成を備えたステープラを提供することにある。
【課題を解決するための手段】
【０００６】
すなわち、本発明は次の構成をなしている。
【０００７】
請求項１に記載の発明は、アンビルを有したベースと、このベースに支持され内部にステープルを収容した収容体と、この収容体内に配設された前記ステープルを前記アンビル方向に押し出し得る押し刃と、この押し刃を駆動するための前記ベースに支持された操作ハンドルと、前記押し刃と操作ハンドルとの間に設けられ前記押し刃を連結部材を介して相対回転可能に支持し得る押し刃支持体とを備えてなり、前記連結部材の連結軸部が、前記収容体に設けられた前記押し刃の進退方向をガイドし得るガイド部内に配設されているステープラである。
【０００８】
請求項２に記載の発明は、前記押し刃が、その上下方向中間部に前記連結軸部が通過し得る連通孔を備えている請求項１記載のステープラである。
【０００９】
請求項３に記載の発明は、前記押し刃が、略平行をなすように左右の側端縁に設けられた被ガイド部を備えており、前記ガイド部が、前記被ガイド部と摺接し得る左右のガイド側壁を備えたものである請求項１又は２記載のステープラである。
【００１０】
請求項４に記載の発明は、前記押し刃が、前記被ガイド部を有し下端部近傍に前記連通孔を備えた刃基端側部分と、下端に前記ステープルに当接し得るステープル当接部を有し前記刃基端側部分よりも幅狭に形成された刃先端側部分とを有している請求項３記載のステープラである。
【００１１】
請求項５に記載の発明は、前記連結部材が、前記押し刃と前記押し刃支持体との間を貫通する前記連結軸部と、この連結軸部の両端に設けられたフランジ部とを備えている請求項１、２、３又は４記載のステープラである。
【００１２】
請求項６に記載の発明は、前記操作ハンドルと前記押し刃支持体との間に設けられ、前記操作ハンドルの操作力を伝達するための駆動軸を有した操作力伝達機構を備えており、前記押し刃支持体が、前記押し刃に添接する刃保持プレート部材と、この刃保持プレート部材の左右両端部に設けられ前記駆動軸を支持し得る軸支持部材とを備えている請求項１、２、３、４又は５記載のステープラである。
【００１３】
請求項７に記載の発明は、前記操作力伝達機構が、前記駆動軸を支持し得る左右の側板部を有した中間部材を備えており、前記左右の側板部間に、スペーサを介して前記軸支持部材が配設されている請求項６記載のステープラである。
【００１４】
請求項８に記載の発明は、前記軸支持部材が、前記駆動軸を挿通し得る軸保持孔を備えたものであり、前記駆動軸の真下に前記押し刃が位置し得るように、前記軸支持部材における前記軸保持孔の位置が設定されている請求項６又は７記載のステープラである。
【発明の効果】
【００１５】
以上説明したように本発明によれば、押し刃が好適にステープルを押圧し得る構成を備えたステープラを提供することができる。
【図面の簡単な説明】
【００１６】
【図１】本発明の一実施形態を示す概略側面図。
【図２】同実施形態における中央断面図。
【図３】同実施形態における中央断面図。
【図４】図２対応の部分拡大断面図。
【図５】図３対応の部分拡大断面図。
【図６】同実施形態における正面図。
【図７】図６におけるＸ−Ｘ線断面図。
【図８】図１におけるＹ−Ｙ線断面図。
【発明を実施するための形態】
【００１７】
以下、本発明の一実施形態を、図１〜９を参照して説明する。
【００１８】
この実施形態は、本発明を、天板等の載置面上に設置した状態で、複数枚のシート体である用紙ＰをステープルＨによって綴じ得るステープラＡに適用したものである。
【００１９】
ステープラＡは、ステープルＨを折り曲げ得るアンビルｖを有したベース１と、このベース１に支持され内部にステープルＨを収容し得る収容体２と、この収容体２内に配設されたステープルＨをアンビルｖ方向に押し出し得る押し刃３と、この押し刃３を駆動するためのベース１に支持された操作ハンドル５と、押し刃３と操作ハンドル５との間に設けられ押し刃３を連結部材ｒを介して相対回転可能に支持し得る押し刃支持体４とを備えている。
【００２０】
以下、ステープラＡについて詳述する。
【００２１】
ベース１は、載置面に載せ置かれる平面視略長方形状をなすベース本体１１と、このベース本体１１の長手方向一端部たる後端部側に設けられた起立部１２とを備えている。
【００２２】
ベース本体１１は、その前後方向中間部にアンビルｖが配設されている。アンビルｖと起立部１２との間には、綴じられるべき複数枚の用紙Ｐにおける端縁ｐ１と係わり合い、当該用紙Ｐを位置決めし得るストッパｓｔが前後方向に位置調整可能に設けられている。起立部１２は、左右に対をなして設けられた側板１２１を備えている。これら側板１２１間に、収容体２の後部が配設されている。
【００２３】
収容体２は、ベース１に枢支されている。収容体２は、図１、図２、及び、図４に示すように、ベース１との間に所定幅の用紙挿入用隙間ｓｋを形成し得る初期位置（Ｓ）と、図３、及び、図５に示すように、操作ハンドル５の操作端を下方に回動させて押し刃３とアンビルｖとの協働によりステープルＨを複数枚の用紙Ｐに対して打ち込み得るとともにステープルＨの先端側を折り曲げ得る操作位置（Ｔ）との間で回動し得るものである。
【００２４】
収容体２は、その後端部における下部が軸ｊ１を介して起立部１２に対して回転可能に支持された収容体本体２２と、この収容体本体２２内に配され押し刃３及び押し刃支持体４の進退方向を案内し得るガイド部材２３と、この収容体本体２２の下部に配設され当該収容体本体２２の前端から前後方向に出し入れ可能に設けられたステープル収容カセット２４とを備えている。
【００２５】
収容体本体２２は、上部が開放されたものであり、底壁２２１と、この底壁２２１の左右縁部から立設されたガイド側壁たる側壁２２２と、この側壁２２２の前端部間に配設された前壁２２３とを備えている。収容体本体２２の底壁２２１と、ベース本体１１との間には、収容体２を初期位置（Ｓ）に保持するための第一の反力ばねｓ１が配設されている。
【００２６】
ガイド部材２３は、合成樹脂製のものである。ガイド部材２３は、押し刃３及び押し刃支持体４の後側に位置してなり押し刃３及び押し刃支持体４の進退方向を案内し得るガイドプレート２３ａと、このガイドプレート２３ａの下端部から後方に延出して設けられたベース部材２３ｃとを備えている。ガイドプレート２３ａは、押し刃支持体４と摺接し得る上下方向に延びたガイドレール２３ｂを備えている。ガイドレール２３ｂは、左右に対をなしており平行に配設されている。ガイドレール２３は、押し刃支持体４の刃保持プレート部材４１の内面及び軸支持部材４２の内面にそれぞれ係わり合い押し刃支持体４の左右方向及び後方への移動を規制し得るものとなっている。ベース部材２３ｃは、収容体本体２２におけるステープル収容カセット２４よりも上側の位置に配設されている。ベース部材２３ｃは、前後方向に延びた角柱状のものであり、前部の上面側に第二の反力ばねｓ２の下端部に内嵌する係合突起２３ｄを有している。
【００２７】
ステープル収容カセット２４は、内部にステープル収容空間ｓｐを有し、複数のステープルＨを前後方向に収容し得るものである。ステープル収容カセット２４内に配設されたステープルＨは、図示しないステープル付勢手段によって前方に付勢され、図示しないステープル保持手段によってステープル収容空間ｓｐ内の所定の位置に保持されている。
【００２８】
ステープル収容カセット２４内の所定の位置に保持されたステープルＨは、操作ハンドル５の操作に連動して降下した押し刃３によって上方から下方に向かって押し出される。下方に向かって押圧されたステープルＨは、複数枚積層された用紙Ｐを綴じるべく、ステープル収容カセット２４の前端部下面に設けられた打ち出し孔２１４から一つずつアンビルｖ側に押し出されるようになっている。
【００２９】
収容体２には、押し刃３の進退方向をガイドし得るガイド部Ｇが設けられている。ガイド部Ｇは、収容体２の前部に設けられている。ガイド部Ｇは、押し刃３の両側縁と摺接し得るガイド側壁たる収容体本体２２の側壁２２２と、押し刃３の後側に位置し押し刃支持体４を介して押し刃３を背面側から間接的に支持し得るガイドレール２３ｂを有したガイドプレート２３ａと、押し刃３の前側に位置し当該押し刃３の前面に摺接し得る収容体本体２２の前壁２２３とを主体に構成されている。換言すれば、ガイド部Ｇは、押し刃３の両側縁に設けられた被ガイド部３１ｂと摺接し得る左右のガイド側壁たる側壁２２２を備えている。
【００３０】
この実施形態では、押し刃３と押し刃支持体４とが連結部材ｒを介して相対回動可能に連結している。この連結部材ｒは、収容体２が初期位置（Ｓ）と操作位置（Ｔ）との間で回動するとともに押し刃３と押し刃支持体４が収容体２内を進退動作する過程において、常時ガイド部Ｇ内に位置するようになっている。
【００３１】
押し刃３は、金属製の板状のものである。押し刃３は、その端部でステープルＨを直接的に押圧し得るものである。押し刃３は、連結部材ｒを介して、押し刃支持体４に回動可能に支持されている。押し刃３は、その上下方向中間部に連結部材ｒを構成する連結軸部ｒ１が通過し得る連通孔３１ａを備えている。押し刃３は、略平行をなすように左右の側端縁に設けられた被ガイド部３１ｂを備えている。この被ガイド部３１ｂとガイド部Ｇとが係わり合うことにより、押し刃３の左右方向の位置決めが行われる。
【００３２】
押し刃３は、上側に位置する刃基端側部分３１と、刃基端側部分３１よりも下に位置している刃先端側部分３２とを有している。押し刃３は、刃基端側部分３１と刃先端側部分３２とが一体に構成されている。
【００３３】
刃基端側部分３１は、左右の側端縁に収容体２のガイド部Ｇと係わり合う被ガイド部３１ｂを備えている。刃基端側部分３１は、その下端部近傍における左右方向中央部に厚み方向に貫通する連通孔３１ａを備えている。この連通孔３１ａには、連結部材ｒを構成する連結軸部ｒ１が貫通するようになっている。
【００３４】
刃先端側部分３２は、刃基端側部分３１よりも幅寸法が短く設定されている。刃基端側部分３１は、下端に綴じ操作時においてステープルＨに当接し得るステープル当接部３２ａを有している。
【００３５】
押し刃支持体４は、押し刃３を支持するものである。押し刃支持体４は、リベット状をなす連結部材ｒを介して押し刃３に接続している。押し刃支持体４は、押し刃３と略平行に配設され当該押し刃３に添接する刃保持プレート部材４１と、この刃保持プレート部材４１の左右両端部に設けられ押し刃３よりも上の位置において駆動軸ｊ２を支持し得る軸支持部材４２とを備えている。
【００３６】
刃保持プレート部材４１は、板状をなすものであり、下部における左右方向中間部に厚み方向に貫通する連通孔４１ａを備えている。この連通孔４１ａには、連結部材ｒの連結軸部ｒ１が貫通するようになっている。
【００３７】
軸支持部材４２は、刃保持プレート部材４１に対して対をなして立設された板状のものである。軸支持部材４２は、上下方向に延びた刃保持プレート部材４１の上端部よりも上に延出した上延出部分４２１が設けられている。軸支持部材４２は、上延出部分４２１に駆動軸ｊ２を挿通し得る左右方向に貫通した軸保持孔４２ａを備えている。なお、この実施形態では、駆動軸ｊ２の真下、すなわち、駆動軸ｊ２の進行軌道の延長線上に押し刃３が位置し得るように、軸支持部材４２における軸保持孔４２ａの位置が設定されている。
【００３８】
連結部材ｒは、いわゆるリベット状のものであり、押し刃３と押し刃支持体４との間を貫通する連結軸部ｒ１と、この連結軸部ｒ１の両端に設けられたフランジ部ｒ２とを備えている。この実施形態では、連結部材ｒが、収容体２に設けられた押し刃３の進退方向をガイドし得るガイド部Ｇ内に配設されている。
【００３９】
操作ハンドル５は、操作者が綴じ操作を行う際に把持し得る部位を構成するものである。操作ハンドル５は、一対のハンドル側板５１ａと、これらハンドル側板５１ａの上端間に設けられた連結板５１ｂとを備えたハンドル本体５１と、これらハンドル本体５１を上側からカバーし得るハンドルカバー５２とを備えている。ハンドル本体５１は、軸ｊ３を介してベース１における起立部１２の上端に回動可能に支持されている。
【００４０】
操作力伝達機構Ｄは、操作ハンドル５と押し刃支持体４との間に設けられ、操作ハンドル５の操作力を押し刃支持体４側に伝達するためのものである。
【００４１】
操作力伝達機構Ｄは、押し刃支持体４に貫装された駆動軸ｊ２と、この駆動軸ｊ２を支持し得る左右の側板部６１を有した中間部材６と、操作ハンドル５と中間部材６との間に設けられた倍力機構７とを主体に構成されている。
【００４２】
駆動軸ｊ２は、左右方向に延びてなるものである。駆動軸ｊ２は、その中間部分が押し刃支持体４の軸保持孔４２ａと係わり合っており、左右両端部が中間部材６の前部に支持されている。
【００４３】
中間部材６は、軸ｊ４を介して起立部１２の上部前端に回動可能に支持されている。中間部材６は、軸ｊ４が貫通する一対の側板部６１と、これら側板部６１の上部間に位置する上板部６１とを備えている。
【００４４】
側板部６１は、その前部に前後方向に湾曲して延びる長孔ｎが形成されている。側板部６１の長孔ｎには、駆動軸ｊ２がスライド移動可能に支持されている。駆動軸ｊ２は、押し刃支持体４の上部分と係わり合っている。押し刃支持体４は、駆動軸ｊ２を介して中間部材６に対して回動可能に支持されている。
【００４５】
なお、駆動軸ｊ２には、左右に対をなすスペーサｕが装着されている。軸支持部材４２は、中間部材６における左右の側板部６１間に、スペーサｕを介して配設されている。左右に配された軸支持部材４２間には、中間スペーサｗが設けられている。
【００４６】
上板部６１は、上側に凹陥したばね受け凹部６２ａを備えている。中間部材６と収容体２との間、より具体的には、上板部６１のばね受け凹部６２ａと収容体２内に配設されたガイド部材２３のベース部材２３ｃとの間には、第二の反力ばねｓ２が配設されている。第二の反力ばねｓ２は、中間部材６を、収容体２に対して上方に離れる方向に付勢し得るものである。
【００４７】
倍力機構７は、操作ハンドル５に付与された操作力を増幅させるためのものであり、この実施形態では、第一、第二のリンク７１、７２を主体に構成されている。第一のリンク７１の前端は軸ｊ５を介して中間部材６に接続している。第一のリンク７１の後部は、軸ｊ６を介して第二のリンク７２の前端に接続している。なお、第二のリンク７２の後端は、軸ｊ７を介して、起立部１２に枢支された操作ハンドル５と一体的に動作する連結部材８に接続している。このため、操作ハンドル５の操作力は、連結部材８を介して倍力機構７に伝達され、その後、中間部材６、駆動軸ｊ２を経由して押し刃支持体４に伝達されることになる。
【００４８】
以上説明したように、本実施形態に係るステープラＡは、アンビルｖを有したベース１と、このベース１に支持され内部にステープルＨを収容した収容体２と、この収容体２内に配設されたステープルＨをアンビルｖ方向に押し出し得る押し刃３と、この押し刃３を駆動するためのベース１に支持された操作ハンドル５と、押し刃３と操作ハンドル５との間に設けられ押し刃３を連結部材ｒを介して相対回転可能に支持し得る押し刃支持体４とを備えている。そして、連結部材ｒの連結軸部ｒ１が、収容体２に設けられた押し刃３の進退方向をガイドし得るガイド部Ｇ内に配設されている。このため、押し刃３が好適にステープルＨを押圧し得る構成を備えたステープラＡを提供することができるものとなる。
【００４９】
つまり、押し刃３は、押し刃支持体４に対して連結部材ｒを介して支持されているため、押し刃３が押し刃支持体４に対して相対回動し得るものとなっている。このため、ガイド部Ｇ内において押し刃３が適切な姿勢を保持し得るものとなり、ステープラＡにおける寸法誤差等の理由によって押し刃３の進退方向に一定の歪みが生じていても、適切に押し刃３が進退動作し得るものとなる。
【００５０】
押し刃３が、その上下方向中間部に連結軸部ｒ１が通過し得る連通孔３１ａを備えている。このため、押し刃３が中心部において好適に回動し得るものとなるため、押し刃３がガイド部Ｇにガイドされて押し刃支持体４に対して好適に回動し得るものとなる。
【００５１】
押し刃３が、略平行をなすように左右の側端縁に設けられた被ガイド部３１ｂを備えている。そして、ガイド部Ｇが、被ガイド部３１ｂと摺接し得る左右のガイド側壁たる側壁２２２を備えている。このため、押し刃３が、ガイド部Ｇによって好適に案内され得るものとなっている。
【００５２】
押し刃３が、被ガイド部３１ｂを有し下端部近傍に連通孔３１ａを備えた刃基端側部分３１と、下端にステープルＨに当接し得るステープル当接部３２ａを有し刃基端側部分３１よりも幅狭に形成された刃先端側部分３２とを有している。このため、押し刃３が、押し刃支持体４に対して回動をした場合でも、刃先端側部分ステープル当接部３２ａが収容体２の構成部位に干渉し難いものとなっている。
【００５３】
連結部材ｒが、押し刃３と押し刃支持体４との間を貫通する連結軸部ｒ１と、この連結軸部ｒ１の両端に設けられたフランジ部ｒ２とを備えている。このため、押し刃３と押し刃支持体４とが相対回動可能な状態で好適に連結されたものとなっている。
【００５４】
操作ハンドル５と押し刃支持体４との間に設けられ、操作ハンドル５の操作力を伝達するための駆動軸ｊ２を有した操作力伝達機構Ｄを備えている。そして、押し刃支持体４が、押し刃３に添接する刃保持プレート部材４１と、この刃保持プレート部材４１の左右両端部に設けられ駆動軸ｊ２を支持し得る軸支持部材４２とを備えている。このため、押し刃支持体４が、操作力伝達機構Ｄを経由して操作ハンドル５からの操作力を好適に受け付けるとともに、その操作力を押し刃３に対して適切に伝達し得るものとなっている。
【００５５】
操作力伝達機構Ｄが、駆動軸ｊ２を支持し得る左右の側板部６１を有した中間部材６を備えている。そして、左右の側板部６１間に、左右に対をなしたスペーサｕを介して軸支持部材４２が配設されている。このため、押し刃３をスペーサｕによって適切な位置に設定し得るものとなっている。
【００５６】
軸支持部材４２が、駆動軸ｊ２を挿通し得る軸保持孔４２ａを備えたている。そして、駆動軸ｊ２の真下に押し刃３が位置し得るように、軸支持部材４２における軸保持孔４２ａの位置が設定されている。このため、操作力伝達機構Ｄからの操作力を、押し刃３の進行方向に沿って適切に伝達し得るものとなっている。
【００５７】
なお、本発明は、以上に詳述した実施形態に限られるものではない。
【００５８】
連結部材は、種々の材質のものを適用することができる。例えば、連結部材は、金属製のものであってもよいし、合成樹脂製のものであってもよいし、金属製の部材と合成樹脂製の部材とを組み合わせて構成されたものであってもよい。
【００５９】
収容体のガイド部には少なくとも連結軸部が配設されていればよい。つまり、連結部材を構成する全部がガイド部内に配設されていないものであってもよい。
【００６０】
押し刃の形状は種々の形状を採用することができるものであり、例えば、単純な長方形状のものであってもよい。
【００６１】
その他、各部の具体的構成についても上記実施形態に限られるものではなく、本発明の趣旨を逸脱しない範囲で種々変形が可能である。
【符号の説明】
【００６２】
Ａ…ステープラ
１…ベース
２…収容体
３…押し刃
４…押し刃支持体
５…操作ハンドル
Ｄ…操作力伝達機構
【図１】
2018027607.tif 000003
【図２】
2018027607.tif 000004
【図３】
2018027607.tif 000005
【図４】
2018027607.tif 000006
【図５】
2018027607.tif 000007
【図６】
2018027607.tif 000008
【図７】
2018027607.tif 000009
【図８】
2018027607.tif 000010